(57)【要約】      （修正有）【課題】口腔外から唾液線を効果的に刺激することができ、高齢者を含む対象者が日常的に使用することができる唾液分泌促進器具を提供する。【解決手段】唾液分泌促進器具は、対象者Ｐの唾液腺に皮膚上から刺激を伝達するための、皮膚当接部３を備えた複数の電動振動体２と、複数の電動振動体２の皮膚当接部３のそれぞれを、対象者Ｐの皮膚上の、唾液腺に刺激を伝達可能な位置に配置させた状態で、これらを保持する、フレーム部１０と、フレーム部１０に内蔵され、複数の電動振動体２へ電力供給する電源部２０と、を備える。【選択図】図１
2019141512.tif 000002
【特許請求の範囲】
【請求項１】
対象者の唾液腺に皮膚上から刺激を伝達するための、皮膚当接部を備えた複数の電動振動体と、
前記複数の電動振動体の前記皮膚当接部のそれぞれを、前記対象者の皮膚上の、前記唾液腺に刺激を伝達可能な位置に配置させた状態で、これらを保持する、フレーム部と、
前記フレーム部に内蔵され、複数の前記電動振動体へ電力供給する電源部と、
を備えていることを特徴とする唾液分泌促進器具。
【請求項２】
前記皮膚当接部の形状が、略球状又は頂部略半球状の突起物であり、前記電源部が、充電式であることを特徴とする請求項１に記載の唾液分泌促進器具。
【請求項３】
前記電動振動体または前記皮膚当接部を着脱自在に構成したことを特徴とする請求項１または２に記載の唾液分泌促進器具。
【請求項４】
前記対象者の顎側から上方に向けて本器具を使用する際、予定する皮膚上の前記唾液腺に本器具が略鉛直方向において適切に位置していることを前記対象者が顎の下端で知覚できるよう、前記フレーム部に顎位置確認部を備えたことを特徴とする請求項１乃至３のいずれか１項に記載の唾液分泌促進器具。
【請求項５】
前記フレーム部が、長さ調整機構を有することを特徴とする請求項１乃至４のいずれか１項に記載の唾液分泌促進器具。
【請求項６】
前記フレーム部は、中途部において内側に屈曲自在に構成したことを特徴とする請求項１乃至５のいずれか１項に記載の唾液分泌促進器具。
【発明の詳細な説明】
【技術分野】
【０００１】
本発明は、唾液の分泌を促進させるための器具に関する。より詳しくは、嚥下が困難な患者や高齢者に対し、唾液の分泌を促進することにより嚥下を容易にするための器具に関するものである。
【背景技術】
【０００２】
近年の高齢者人口の増加に伴い、嚥下障害患者が増加している。嚥下障害は、口腔、咽頭および食道の嚥下運動における障害であり、加齢以外にも脳卒中後遺症などの脳障害や咽喉の手術等による嚥下運動機能の低下によっても引き起こされる。
嚥下障害は、誤嚥を起こすことも大きな問題となっている。食物または水分を誤嚥すれば、気管支・肺に入ったものによって誤嚥性肺炎を発症することがある。抵抗力が弱い高齢者は重篤になることが多く、嚥下障害由来の誤嚥性肺炎が社会問題になりつつある。
【０００３】
このような嚥下障害は、加齢等により対象者の唾液分泌が少なくなったことに起因する。そのため、対象者の唾液分泌を促進できれば、嚥下障害の防止・抑制、ひいては誤嚥性肺炎の発症の抑制することが期待できる。
【０００４】
従来より嚥下障害を想定した唾液分泌促進器具が報告されている。例えば、特許文献１には使用者が把持する把持部と、この把持部の先端側に連設され口腔内に挿入可能とされている歯列状の被咬合部とを有して嚥下障害を改善することを特徴とするリハビリ訓練器が開示されている。また、特許文献２には、弾性樹脂で成形された棒状体の断面における上下辺が直線状、外側に凸の曲線状または内側に凸の曲線状を呈し、該棒状体の上下面の内の少なくとも一つの面が歯肉で覆われた臼歯部分の無歯顎堤に当接する咬合部と、前記咬合部に連設される把持部と、からなり、前記棒状体の上下辺の中心点間距離が１０ｍｍないし３０ｍｍである、ことを特徴とする唾液分泌促進器が開示されている。また、特許文献３には、口腔内の下唇下方面と下顎歯槽粘膜との間に挿入・支持させ、このセット状態で口を閉じ得る弾性薄板状の補助具本体と、セット状態の補助具本体から口腔外へと突出させる操作部とを一体的に備え、前記操作部を介護者又は本人が把手して動かすことにより、前記補助具本体の連動を介して口腔内に所要の動作又は刺激を与えるようにしてなることを特徴とする嚥下障害補助具が開示されている。
【０００５】
また、特許文献４には、口腔外から唾液線を刺激する器具として、片手でハンドル部を持ち、顔面部の耳下腺の位置と下顎部の顎下腺や舌下腺の位置に唾液腺を刺激する突起を有するローラーを同時に当てて、腕を上下に動かすことにより、唾液腺を刺激する突起を有するローラーが回転して唾液腺をマッサージして唾液の分泌を促進することが可能な唾液腺マッサージ具が開示されている。
【０００６】
また、特許文献５には、対象者からの唾液の採取を促進するための用具であって、前記対象者の唾液腺に皮膚上から刺激を伝達するための、複数の刺激付与部と、前記複数の刺激付与部それぞれを、前記対象者の皮膚上の、前記唾液腺に刺激を伝達可能な位置に配置させた状態で、これらを保持する、フレーム部と、を備え、前記複数の刺激付与部として機能する複数の空気袋と、前記複数の空気袋それぞれに空気を供給する空気供給部と、を更に備え、前記フレーム部が、前記対象者の頭全体を覆う形状に形成され、前記複数の空気袋それぞれは、前記フレーム部と前記対象者との間に設置され、且つ、前記空気供給部から供給される空気によって膨張し、それによって前記対象者の皮膚を押圧することを特徴とする、唾液分泌促進用具が開示されている。
【先行技術文献】
【特許文献】
【０００７】
【特許文献１】特開２００７−３１９３０４号公報
【特許文献２】特許第４３９９６４５号公報
【特許文献３】特許第２８９７１２１号公報
【特許文献４】特開２０１６−２４４６号公報
【特許文献５】特許第５９４０８６１号公報
【発明の概要】
【発明が解決しようとする課題】
【０００８】
上述した特許文献１〜３の器具は、嚥下障害を想定した唾液分泌促進器具ではあるが、それぞれ器具自体を対象者の口腔内に挿入して使用するものであり、器具自体より口腔内を傷つける恐れがある。また、日常的に使用する場合、衛生的な観点からも口腔内に挿入する形式の器具は好ましいとはいえない。
一方、特許文献４の器具は、口腔外から唾液線を刺激する器具であり、手動で使用できるため、高齢者を含む対象者が日常的に気軽に使用することができる。しかしながら、当該器具は、手動のローラーで唾液腺を刺激する突起を移動させて唾液線を刺激する方式であるため、当該突起が唾液分泌のツボに固定されるわけではなく、集中的に唾液線に刺激を与えることができない。
【０００９】
また、特許文献５の器具は、口腔外から唾液線を刺激する器具であり、対象者の顔面に固定化した状態で唾液線に集中的に刺激を与えることが可能である。しかしながら、当該器具は、唾液の採取を促進するための器具であって嚥下障害を想定したものではなく、器具自体が大掛かりであって、対象者が日常的に気軽に使用できるものではない。
【００１０】
このように従来の唾液分泌促進器具は、衛生的な観点や使用性の観点から改善の余地があるのが実情である。
かかる状況下、本発明の目的は、口腔外から唾液線を効果的に刺激することができ、高齢者を含む対象者が日常的に使用することができる唾液分泌促進器具を提供することである。
【００１１】
本発明は、以上のような事情に鑑みてなされたものであり、シンプルな構造で就寝時の姿勢を正確に測定でき、しかも、測定箇所を柔軟に変更することができる就寝姿勢計測センサ及び就寝姿勢計測装置を提供することにある。
【課題を解決するための手段】
【００１２】
以上のような目的を達成するために、本発明は以下の技術を提供する。
【００１３】
請求項１に係る発明では、対象者の唾液腺に皮膚上から刺激を伝達するための、皮膚当接部を備えた複数の電動振動体と、前記複数の電動振動体の前記皮膚当接部のそれぞれを、前記対象者の皮膚上の、前記唾液腺に刺激を伝達可能な位置に配置させた状態で、これらを保持する、フレーム部と、前記フレーム部に内蔵され、複数の前記電動振動体へ電力供給する電源部と、を備えていることを特徴とする唾液分泌促進器具を提供せんとする。
【００１４】
請求項２に係る発明では、前記皮膚当接部の形状が、略球状又は頂部略半球状の突起物であり、前記電源部が、充電式であることを特徴とする請求項１に記載の唾液分泌促進器具を提供せんとする。
【００１５】
請求項３に係る発明では、前記電動振動体または前記皮膚当接部を着脱自在に構成したことを特徴とする請求項１または２に記載の唾液分泌促進器具を提供せんとする。
【００１６】
請求項４に係る発明では、前記対象者の顎側から上方に向けて本器具を使用する際、予定する皮膚上の前記唾液腺に本器具が略鉛直方向において適切に位置していることを前記対象者が顎の下端で知覚できるよう、前記フレーム部に顎位置確認部を備えたことを特徴とする請求項１乃至３のいずれか１項に記載の唾液分泌促進器具を提供せんとする。
【００１７】
請求項５に係る発明では、前記フレーム部が、長さ調整機構を有することを特徴とする請求項１乃至４のいずれか１項に記載の唾液分泌促進器具を提供せんとする。
【００１８】
請求項６に係る発明では、前記フレーム部は、中途部において内側に屈曲自在に構成したことを特徴とする請求項１乃至５のいずれか１項に記載の唾液分泌促進器具を提供せんとする。
【発明の効果】
【００１９】
本発明によれば、対象者の唾液の分泌が促進することができる唾液分泌促進器具が提供される。当該唾液分泌促進器具を使用することにより、嚥下困難者（特に高齢者）唾液の分泌を促進させ、薬剤等が喉に残存させずに嚥下することができ、誤嚥の可能性が低くなる。
【図面の簡単な説明】
【００２０】
【図１】本実施形態に係る唾液分泌促進器具の使用状態を示す説明図である。
【図２】本実施形態に係る唾液分泌促進器具の正面図である。
【図３】（ａ）は本実施形態に係る唾液分泌促進器具の変形例で、（ｂ）は電動振動部を外した部分拡大図で、（ｃ）は他の変形例で、（ｄ）、（ｅ）は皮膚当接部を外した部分拡大図である。
【図４】本実施形態に係る唾液分泌促進器具の変形例の部分説明図である。
【図５】本実施形態に係る唾液分泌促進器具の変形例の説明図である。
【図６】本実施形態に係る唾液分泌促進器具の変形例の説明図である。
【図７】本実施形態に係る唾液分泌促進器具の使用状態を示す説明図である。
【図８】本実施形態に係る唾液分泌促進器具の使用状態を示す説明図である。
【図９】（ａ）は本実施形態に係る唾液分泌促進器具の変形例で、（ｂ）はその変形例の顎位置確認部の部分拡大図である。
【発明を実施するための形態】
【００２１】
本発明の実施形態に係る唾液分泌促進器具の要旨は、対象者の唾液腺に皮膚上から刺激を伝達するための、皮膚当接部を備えた複数の電動振動体と、複数の電動振動体の皮膚当接部のそれぞれを、対象者の皮膚上の、唾液腺に刺激を伝達可能な位置に配置させた状態で、これらを保持する、フレーム部と、フレーム部に内蔵され、複数の電動振動体へ電力供給する電源部と、を備えていることを特徴とする。すなわち、唾液の分泌を促進することにより嚥下を容易にするための唾液分泌促進器具の提供を図ろうとするものである。
【００２２】
ここで、顔面に存在する唾液腺は頬の耳側の領域に位置する耳下腺と、耳下腺の下方に位置する顎下腺と、唇と顎の間の領域に位置する舌下腺があり、本実施形態では耳下腺や顎下腺に対して刺激を与えるものとして図示しているが、本発明の要旨は舌下腺の刺激を除外するものではない。
【００２３】
また、本実施形態に係る唾液分泌促進器具による唾液腺への１回の刺激時間は特に限定されないが、５分から１０分程度が適当である。
【００２４】
また、本実施形態では説明の便宜上、電気配線を省略して図示している。
【００２５】
以下、本発明に係る唾液分泌促進器具の実施形態について図面を参照しながら説明する。また、本説明中において左右同一又は左右対称の構造や部品については、原則として同一の符号を付し、左右何れか一方のみを説明して、他方については説明を適宜省略する。
【００２６】
本発明に係る唾液分泌促進器具１Ａ，１Ｂは、図１、図７に示すように、対象者Ｐの唾液腺に皮膚上から刺激を伝達するための、皮膚当接部３を備えた複数の電動振動体２と、複数の電動振動体２の皮膚当接部３のそれぞれを、対象者Ｐの皮膚上の、唾液腺に刺激を伝達可能な位置に配置させた状態で、これらを保持する、フレーム部１０と、フレーム部１０に内蔵され、複数の電動振動体２へ電力供給する電源部２０と、を備えている
【００２７】
また、皮膚当接部３の形状が、略球状又は頂部略半球状の突起物であり、電源部２０が、充電式となっている。
【００２８】
また、電源部２０には、電動振動体２への電力供給の有無を切替自在とするスイッチ（図示せず）を備えている。
【００２９】
従って、本器具１Ａ，１Ｂを使用する対象者Ｐは、図１に示す頭部装着型のように電動振動体２が下方となるようフレーム部１０を頭部ｈに装着したり、図７に示す把持型のように顎ａ側から上方に向けてフレーム部１０を把持し、皮膚上から自身の唾液腺に電動振動体２の皮膚当接部３が接触するよう本器具１Ａ，１Ｂを位置させてスイッチにより電動振動体２に電力を供給させるだけで、電動振動体２が唾液腺を刺激して唾液分泌を促進させることができる。
【００３０】
以下、頭部装着型の唾液分泌促進器具１Ａについて具体的に説明し、次に、適宜把持型の唾液分泌促進器具１Ｂについて頭部装着型とは異なる部分の構成について説明する。
【００３１】
まず、図１、図２に示す頭部装着型の本器具１Ａのフレーム部１０は、略半円弧状の頭部装着部１１と、頭部装着部１１の曲率に近似し頭部装着部１１の両端部から伸延する中間フレーム部１３と、中間フレーム部１３の端部には対向する中間フレーム部１３側に回動する回動軸を有するヒンジ部１４とヒンジ部１４を介して回動自在とした内側に凹状の略半円弧状の終端フレーム部１６と、終端フレーム部１６の両端部に配設された皮膚当接部３を備える電動振動体２と、で構成している。
【００３２】
頭部装着部１１は、両端部にかけて先細の中空状に形成し、装着する対象者Ｐの頭部ｈを適度に挟持して略固定する付勢力が生じるよう拡径自在な弾性を有する合成樹脂材料で形成している。
【００３３】
なお、頭部装着部１１の形状や材質、構造は本実施形態に限定されず、例えば、金属製のバネ材等を用いたり等、本発明の要旨の範囲内において種々の変形・変更が可能である。
【００３４】
また、内部には電源部２０を内蔵し、電源部２０には蓄電池（図示せず）や回路基板（図示せず）、フレーム部１０の表面に現出し外部から操作可能な上述したスイッチ等を備え、電動振動体２への適切な電力印加やそのＯＮ／ＯＦＦを切替自在としている。
【００３５】
また、電源部２０は、蓄電池への充電を可能とする別途の電気プラグを挿抜自在とするジャック孔（図示せず）がフレーム部１０の表面に現出するよう形成している。
【００３６】
なお、電源部２０には、電動振動体２の振動強度や振動数を調整自在とする調整機能やタイマー機能、これらの設定状況を視認できる液晶パネルやＬＥＤ素子等の表示装置を備えることもできる。
【００３７】
中間フレーム部１３は、一方の端部にヒンジ部１４の回動軸を枢止連結する軸孔を形成した金属製で帯状のバネ材からなり、本器具１Ａを頭部ｈに装着した際、電動振動体２が皮膚と密着して適度に押圧するよう形成している。
【００３８】
なお、中間フレーム部１３の形状や材質、構造は本実施形態に限定されず、例えば、合成樹脂材等を用いたり、中間フレーム部１３を頭部装着部１１と一体に形成したり等、本発明の要旨の範囲内において種々の変形・変更が可能である。
【００３９】
終端フレーム部１６は、略中央部においてヒンジ部１４の回動軸を枢止連結する軸孔を形成した合成樹脂材料からなり、両端部に配設される電動振動体２の互いが皮膚上から唾液腺に位置するよう形成している。
【００４０】
このように、終端フレーム部１６がヒンジ部１４を介して回動することで頭部装着部１１や中間フレーム部１３による頭部ｈから頬ｃにかけての付勢力が２つの電動振動体２を皮膚に密着して略均等に同時に押圧することができる。
【００４１】
なお、終端フレーム部１６の形状や材質、構造は本実施形態に限定されず、例えば、金属製で帯状のバネ材等を用いたり、Ｅ字状に形成して３つの端部に各々電動振動体２を配設したり、ヒンジ部１４を有さず中間フレーム部１３と一体に形成したり等、本発明の要旨の範囲内において種々の変形・変更が可能である。
【００４２】
また、ヒンジ部１４は、中間フレーム部１３の端部に形成した軸孔と終端フレーム部１６の略中央部に形成した軸孔とを連通する回動軸により回動自在に構成しているが、ヒンジ部１４の構造は本実施形態に限定されず、本発明の要旨の範囲内において種々の変形・変更が可能であることは言うまでもない。
【００４３】
電動振動体は、球状で中空の合成樹脂材料からなり、皮膚との接触面を皮膚当接部３として内部に振動モーターからなる振動子（図示せず）を内蔵し、電力印加により特に皮膚当接部３が振動しやすく形成している。
【００４４】
次に、把持型の唾液分泌促進器具１Ｂについて上述した頭部装着型とは異なる構成について説明し、共通部分については説明を適宜省略する。
【００４５】
図７、図８に示す把持型の本器具１Ｂのフレーム部１０は、第一フレーム部１１１と、第二フレーム部１１３と、屈曲部１１７とを有し、第一・第二フレーム部１１１，１１３は一方の端部に電動振動体２を配設し他方の端部は屈曲部１１７を介し相互に連接している。
【００４６】
第一フレーム部１１１は、板状の金属からなり、立設して対向する２つの第一突片１１２により内側に凹状の断面視コ字状に形成し、屈曲部１１７が位置する他方の端部から電動振動体２が配設された一方の端部にかけて外側に緩やかに湾曲すると共に、第一突片１１２の高さを他方の端部から一方の端部にかけて低くなるよう形成している。
【００４７】
第二フレーム部１１３は、板状の金属からなり、立設して対向する２つの第二突片１１４により内側に凹状の断面視コ字状に形成し、屈曲部１１７が位置する他方の端部から電動振動体２が配設された一方の端部にかけて外側に緩やかに湾曲すると共に、第二突片１１４の高さを他方の端部から一方の端部までの中途部を高く形成して電源被覆部１１５とし、電源被覆部１１５から一方の端部にかけて低くなるよう形成している。
【００４８】
また、電源被覆部１１５を形成する対向する第二突片１１４で囲繞された内部には電源部２０を配設している。
【００４９】
また、第一・第二フレーム部１１１，１１３の他方の端部には相互を枢止連結する軸孔を穿設し、これらを連通する枢軸１１８により当該部分を屈曲部１１７として構成している。
【００５０】
すなわち、把持型の唾液分泌促進器具１Ｂはトングのような形態で、屈曲部１１７により略中央部で屈曲し、使用時にはＶ字状に拡開し、未使用時にはＩ字状に縮閉するよう形成している。
【００５１】
更に、第一・第二フレーム部１１１，１１３の他方の端部側端面１１６は、図８に示すように、Ｉ字状に縮閉した未使用時に電動振動体２を上方としてテーブル等に載置できるよう、Ｉ字状態で端部側端面１１６が面一となるよう形成している。
【００５２】
なお、第一・第二フレーム部１１１，１１３の形状や材質、構造は本実施形態に限定されず、本発明の要旨の範囲内において種々の変形・変更が可能である。
【００５３】
このように、フレーム部１０は、中途部において内側に屈曲自在に構成したことより、持ち運びが容易な小型化が可能となり、しかも、屈曲部１１７近傍を把持して任意の箇所に可及的に当てがうことができるので取り扱いが容易である。
【００５４】
以上、説明したように、本実施形態に係る唾液分泌促進器具１Ａ，１Ｂは、対象者Ｐの唾液腺に皮膚上から刺激を伝達するための、皮膚当接部３を備えた複数の電動振動体２と、複数の電動振動体２の皮膚当接部３のそれぞれを、対象者Ｐの皮膚上の、唾液腺に刺激を伝達可能な位置に配置させた状態で、これらを保持する、フレーム部１０と、フレーム部１０に内蔵され、複数の電動振動体２へ電力供給する電源部２０と、を備えることで、本器具１Ａ，１Ｂから外部に延出する電気配線がないため、電気配線が絡むことがなく使い勝手が良好であり、本器具１Ａ，１Ｂを装着したまま動き回れるだけでなく、寝たきりの高齢者にも安全である。
【００５５】
また、電動振動体２により唾液腺を刺激することより、唾液腺に対して器具を動かしながら刺激する必要がないため、使用時の労力が大幅に軽減される。
【００５６】
また、皮膚当接部３の形状が、略球状又は頂部略半球状の突起物であり、電源部２０が、充電式であることより、皮膚に対する負荷が少なく、しかも、未使用時に充電しておけば使用時に直ぐに使用できるので電池交換の煩雑さがない。
【００５７】
次に、上述した唾液分泌促進器具１Ａ，１Ｂの変形例１〜５について図面を用いて具体的に詳述するが、共通する部分については同一の符号を付して説明を適宜省略する。
【００５８】
［変形例１］
本実施形態の変形例１に係る唾液分泌促進器具１Ａ１は、図３に示すように、電動振動体２または皮膚当接部３を着脱自在に構成している。
【００５９】
例えば、図３（ａ）、（ｂ）に示すように、頭部装着型の本器具１Ａ１の終端フレーム部１６の端部に電気プラグ１７を形成し、電動振動体２には電気プラグ１７を挿入して導通するジャック５を形成している。
【００６０】
また、図３（ｃ）、（ｄ）に示すように、頭部装着型の本器具１Ａ１の終端フレーム部１６の端部に皮膚当接部３を着脱自在とした電動振動体２を配設し、終端フレーム部１６の端部に形成した振動子を内蔵する基部６の連結孔７に皮膚当接部３に突設した連結棒４を挿入することで電動振動体２を構成する。
【００６１】
基部６と皮膚当接部３との固定については、基部６の連結孔７と皮膚当接部３の連結棒４の一部に互いに引き合う磁石を形成することで略固定される。
【００６２】
なお、基部６と皮膚当接部３との固定方法については、本実施形態に限定されず、例えば、ネジ構造により互いを螺合させる等したり、本発明の要旨の範囲内において種々の変形・変更が可能である。
【００６３】
また、図３（ｅ）に示すように、皮膚当接部３に対して連結棒４の位置をずらしたり、図３（ｂ）のジャック５を任意の箇所に形成することもできる。
【００６４】
このように、電動振動体２または皮膚当接部３を着脱自在に構成することより、強度が異なる電動振動体２や異なる形状や材質、大きさ等の電動振動体２や皮膚当接部３に容易に変更できるので、本器具１Ａ１を使用する対象者Ｐに最適化した状態で使用することが可能となる。
【００６５】
また、連結棒４やジャック５の位置が異なる電動振動体２や皮膚当接部３に容易に変更できるので、本器具１Ａ１を使用する対象者Ｐの正確な唾液腺の位置に皮膚当接部３を容易に調整することができる。
【００６６】
［変形例２］
次に、本実施形態の変形例２に係る唾液分泌促進器具１Ａ２は、図４に示すように、フレーム部１０が、長さ調整機構１８を有している。
【００６７】
長さ調整機構１８は、中間フレーム部１３を頭部装着部１１の内部に向けて進退自在に構成しており、中間フレーム部１３の一方の側面に形成された図示しない複数の凹部に対して頭部装着部１１の内部に形成された図示しない板バネの凸部が付勢して略固定できるよう構成することで、中間フレーム部１３を任意の位置に移動させることができる。
【００６８】
なお、長さ調整機構１８については、本実施形態に限定されず、本発明の要旨の範囲内において種々の変形・変更が可能である。
【００６９】
このように、フレーム部１０が、長さ調整機構１８を有することで、皮膚当接部３を対象者Ｐが意図する唾液腺の位置に容易に調整することができる。
【００７０】
［変形例３］
次に、本実施形態の変形例３に係る唾液分泌促進器具１Ａ３は、図５に示すように、頭部装着部１１と中間フレーム部１３との接続部分を内側に屈曲自在に構成している。
【００７１】
頭部装着部１１と中間フレーム部１３との接続部分には、対向する中間フレーム部１３側に回動する回動軸を有する中間ヒンジ部１５を形成している。
【００７２】
具体的には、頭部装着部１１の端部に中間ヒンジ部１５の回動軸を枢止連結する軸孔を形成すると共に、中間フレーム部１３の端部に中間ヒンジ部１５の回動軸を枢止連結する軸孔を形成している。
【００７３】
このように、頭部装着部１１と中間フレーム部１３との接続部分には、対向する中間フレーム部１３側に回動する回動軸を有する中間ヒンジ部１５を形成したことより、未使用時に中間フレーム部１３を内側に回動させておくことで唾液分泌促進器具１Ａ３をコンパクトに収納することができる。
【００７４】
［変形例４］
次に、本実施形態の変形例４に係る唾液分泌促進器具１Ａ４は、図６に示すように、フレーム部１０に着脱自在の把持部２５を備えている。
【００７５】
具体的には、頭部装着部１１の中央外側に形成した雌ネジ１２に対し、片手で把持しやすい棒状のグリップ２６の先端に雄ネジ２７形成した把持部２５を螺合させ一体に固定する。
【００７６】
このように、フレーム部１０に着脱自在の把持部２５を備えることで、頭部装着型の本器具１Ａ４を把持型として使用することができる。
【００７７】
［変形例５］
次に、本実施形態の変形例５に係る唾液分泌促進器具１Ｂ１は、図９（ａ）、（ｂ）に示すように、対象者Ｐの顎ａ側から上方に向けて本器具１Ｂ１を使用する際、予定する皮膚上の唾液腺に本器具１Ｂ１が略鉛直方向において適切に位置していることを対象者Ｐが顎ａの下端で知覚できるよう、フレーム部１０に顎位置確認部１３０を備えている。
【００７８】
具体的には、顎位置確認部１３０は、第一フレーム部１１１と第二フレーム部１１３の中途部に、両フレーム部１１１，１１３を張設する伸縮性のない基準紐１３６を有し、基準紐１３６の一端は第一フレーム部１１１に沿って移動自在の第一摺動部１３１に固定しており、基準紐１３６の他端は第二フレーム部１１３に沿って移動自在の第二摺動部１３４に固定している。
【００７９】
基準紐１３６の一端には挿通孔１３７を穿設しており、基準紐１３６の挿通孔１３７に対して第一摺動部１３１に螺合する固定ボルト１３２を挿通して締結することで該ボルト１３２の頭部により基準紐１３６を第一摺動部１３１に固定することができる。
【００８０】
また、第二摺動部１３４には、基準紐１３６の他端を挿通して押圧する押圧固定部１３５を有し、第一フレーム部１１１と第二フレーム部１１３を張設する基準紐１３６の長さを調整自在としている。
【００８１】
このように、対象者Ｐの顎ａ側から上方に向けて本器具１Ｂ１を使用する際、予定する皮膚上の唾液腺に本器具１Ｂ１が略鉛直方向において適切に位置していることを対象者Ｐが顎ａの下端で知覚できるよう、フレーム部１０に顎位置確認部１３０を備えたことで、把持型や頭部装着型を下方から使用する際、唾液腺に対して位置を調整済みの本器具１Ｂ１を何度でも再現性良く正確な唾液腺の位置に電動振動体２を当てがうことができる。
【００８２】
なお、屈曲部１１７には第一フレーム部１１１と第二フレーム部１１３とが互いに離反する付勢力が生じる圧縮バネを張設し、該付勢力により唾液腺への位置決めの際に基準紐１３６が常に緊張するよう構成してもよく、また、圧縮バネの付勢力を調整自在に形成してもよい。
【００８３】
また、屈曲部１１７には第一フレーム部１１１と第二フレーム部１１３とが互いに引き合う付勢力が生じる引張バネを張設し、該付勢力により唾液腺への位置決め力を補完するよう構成してもよく、また、圧縮バネの付勢力を調整自在に形成してもよい。
【００８４】
以上、本発明の好ましい実施形態と変形例について説明したが、本発明は係る特定の実施形態や変形例に限定されるものではなく、特許請求の範囲に記載された本発明の要旨の範囲内において、種々の変形・変更が可能である。
【産業上の利用可能性】
【００８５】
本発明の唾液分泌促進器具１を用いることで唾液の分泌が促進され、嚥下困難者（特に高齢者）が、薬剤等が喉に残存させずに嚥下することができ、誤嚥の可能性が低くなる。
【符号の説明】
【００８６】
Ｐ  対象者
ａ  顎
１Ａ  唾液分泌促進器具（頭部装着型）
１Ｂ  唾液分泌促進器具（把持型）
２  電動振動体
３  皮膚当接部
１０  フレーム部
１８  長さ調整機構
２０  電源部
１３０  顎位置確認部
【図１】
2019141512.tif 000003
【図２】
2019141512.tif 000004
【図３】
2019141512.tif 000005
【図４】
2019141512.tif 000006
【図５】
2019141512.tif 000007
【図６】
2019141512.tif 000008
【図７】
2019141512.tif 000009
【図８】
2019141512.tif 000010
【図９】
2019141512.tif 000011